(57)【要約】【課題】粒子が吸着しにくい内壁を有する被検体収容部を備えた試薬カートリッジを提供する。【解決手段】試薬カートリッジ１００は、粒子を含む溶液を分注する被検体収容部１２８を有する本体を備え、前記被検体収容部の内壁の曲線要素の平均長さからなる粗さは、前記粒子の外径に対して、１／５０倍〜２／３倍である。前記粒子と前記内壁との接触面積が、平滑面における接触面積と比較して１／１００以下であり、前記粒子と前記内壁とが接触していない部分における両者の距離が１０ｎｍ以上であることが望ましい。【選択図】図１
2019162586.tif 000002
【特許請求の範囲】
【請求項１】
粒子を含む溶液を分注する被検体収容部を有する本体を備え、
前記被検体収容部の内壁の曲線要素の平均長さからなる粗さは、前記粒子の外径に対して、１／５０倍〜２／３倍である、
試薬カートリッジ。
【請求項２】
前記被検体収容部の前記内壁の曲線要素の平均長さからなる粗さは、前記粒子の外径に対して、１／２０倍〜１／２倍である、
請求項１に記載の試薬カートリッジ。
【請求項３】
前記粒子と前記内壁との接触面積が、平滑面における接触面積と比較して１／１００以下である、
請求項１または請求項２に記載の試薬カートリッジ。
【請求項４】
前記粒子と前記内壁とが接触していない部分における両者の距離が１０ｎｍ以上である、
請求項１から請求項３のいずれか一項に記載の試薬カートリッジ。
【請求項５】
前記粒子は磁性ビーズである
請求項１から請求項４のいずれか一項に記載の試薬カートリッジ。
【発明の詳細な説明】
【技術分野】
【０００１】
本発明は、微小なビーズ（粒子）を含む試薬が収容された試薬カートリッジに関するものである。
【背景技術】
【０００２】
近年バイオ系のアッセイにおいて、様々な素材やサイズの微小なビーズ（粒子）が用いられている。例えば、ポリマービーズは通常疎水性であり、高いタンパク結合能力がある。シリカビーズは官能基付加や粒子表面変化等の修飾が容易である。また、磁性ビーズは、磁力を用いて特定の物質のみを捕捉するスクリーニングなどに適している。
【０００３】
例えば、磁性ビーズ表面に、ターゲット抗原に結合するように設計された抗体を固定する。抗体を表面にもつ磁性ビーズを、抗原と不純物が混在する溶液に添加し攪拌する。すると、抗原抗体反応によって、抗原と磁性ビーズが抗体を介して結合する。これらの溶液が入った容器に磁石を近づけると、磁性ビーズと結合した抗原は磁石に引き寄せられる。この状態で、容器内の溶液を、不純物を含まない溶液に入れ替えるなどの洗浄工程を加えることで、不純物の少ない抗原溶液を得ることができる。
【０００４】
このようなスクリーニングによって、例えば患者から採取した生体試料などの被検体から核酸を抽出して一塩基多型のような遺伝子の差異を検出することで、医薬品に対する感受性を予め予測できる可能性が示唆されている。
【０００５】
被検体から核酸を抽出する場合、検体間の交差汚染を防止したり、感染源の拡散を防止したりする必要がある。そのため、被検体から核酸を抽出するために必要な試薬類を試薬カートリッジ内に収容し、被検体から核酸を抽出するたびにこれら試薬類を使いきり、使用後の試薬カートリッジは廃棄される（例えば特許文献１参照）。
【０００６】
特許文献２には、核酸が吸着した磁性ビーズを、磁石により収容部の内壁に吸着させることで、核酸を分離抽出する検体前処理カートリッジが記載されている。検体前処理カートリッジを用いることで、核酸抽出に要する時間を短縮することができる。
【先行技術文献】
【特許文献】
【０００７】
【特許文献１】国際公開第２００５／１１８７７２号
【特許文献２】特開平１１−２４２０３３号公報
【発明の概要】
【発明が解決しようとする課題】
【０００８】
ポリマー系のビーズは、樹脂製からなる収容部との親和性が高く、吸着しやすい特徴をもつ。また、磁性ビーズは磁石によって収容部の内壁面に強く吸引されるため、収容部から磁石を遠ざけて収容部の内壁に吸着した磁性ビーズを内壁から分離させる際に、一部の磁性ビーズが収容部の内壁に吸着し続け、磁性ビーズを効率よく回収できない場合があった。特許文献２には、磁性ビーズを効率よく回収できる、収容部の内壁の特性については記載されていない。これらの課題に対して、収容部の内壁面の凹凸を小さくしたり、撥水性の表面処理を施したりする等の対策がとられていた。
【０００９】
しかしながら、内壁面の凹凸を小さくすることは、物理的な吸着は抑制するものの、化学的な吸着力が増してしまい、十分な効果が得られないことが多かった。また、材質の変更や表面処理を加えることは、コストアップや不純物混入などの原因となっていた。
【００１０】
このように、微小なビーズは、バイオ系の試薬として有効な素材であるが、その大きさや材質などの影響によって、容器内に吸着して残留してしまうことがあった。試薬は高価なものが多く、容器内に残留する試薬の量が多い場合、増加する使用試薬の量がコストアップの原因となる。また、容器内に残留する微小なビーズの量が多い場合、低濃度の物質の抽出をする際に、その抽出量が不足することがある。
【００１１】
上記事情を踏まえ、本発明は、ポリマー系のビーズや磁性ビーズ等の微小な粒子が吸着しにくい内壁を有する被検体収容部を備えた試薬カートリッジを提供することを目的とする。
【課題を解決するための手段】
【００１２】
上記課題を解決するために、この発明は以下の手段を提案している。
本発明の試薬カートリッジは、微小な粒子を含む溶液を分注する被検体収容部を有する本体を備え、前記被検体収容部の内壁の曲線要素の平均長さからなる粗さは、前記粒子の外径に対して、１／５０倍〜２／３倍である。
【発明の効果】
【００１３】
本発明の試薬カートリッジによれば、被検体収容部の内壁に微小な粒子が吸着しにくい。
【図面の簡単な説明】
【００１４】
【図１】本発明の一実施形態に係る試薬カートリッジと、試薬カートリッジと共に用いる分注ピペットチップの全体構成を示す斜視図である。
【図２】本発明の一実施形態に係る試薬カートリッジの集磁ウェルの断面図である。
【図３】平滑面とビーズとの吸着力、重力、および水流によるビーズの抵抗力と、ビーズ粒径との関係を示したグラフである。
【図４】ビーズと容器表面との距離と、ファンデルワールス力と、の関係を示すグラフである。
【図５】本発明の一実施形態に係る試薬カートリッジにおける集磁ウェルの内壁の拡大断面図である。
【図６】平滑面に接触したポリスチレンビーズの模式図である。
【図７】顕微鏡で観察した内壁に接触した磁性ビーズの模式図である。
【図８】核酸が抽出する過程における集磁ウェルを示す図である。
【図９】核酸が抽出する過程における集磁ウェルを示す図である。
【発明を実施するための形態】
【００１５】
本発明の一実施形態について、図１から図９を参照して説明する。
図１は、本実施形態に係る試薬カートリッジ１００と、試薬カートリッジ１００と共に用いる分注ピペットチップ２０１の全体構成を示す斜視図である。
【００１６】
試薬カートリッジ１００には、被検体から核酸を抽出するための試薬などが格納されている。試薬カートリッジ１００に被検体を投入し、試薬カートリッジ１００を核酸抽出装置（不図示）に装着することで、分注ピペットチップ２０１を用いた核酸抽出作業を核酸抽出装置に機械的に実施させることができる。
【００１７】
試薬カートリッジ１００は、開口を有する箱状に形成された本体１０１と、本体１０１の外面から側方へ突出して形成された爪部１０２とを有している。爪部１０２は、核酸抽出装置に試薬カートリッジ１００を固定するためなどに用いられる。
【００１８】
本体１０１を形成する材料としては試料や試薬等に影響を与えないものであれば特に制限はないが、特にポリプロピレン、ポリカーボネート、アクリルのいずれかを含む樹脂材料を用いれば、良好な可視光透過性を確保することができ、溶液の状態を確認することができる。ポリプロピレンとしては、ホモポリプロピレンやポリプロピレンとポリエチレンとのランダム共重合体を使用することができる。また、アクリルとしては、ポリメタクリル酸メチル、または、メタクリル酸メチルとその他のメタクリル酸エステル、アクリル酸エステル、スチレンなどのモノマーとの共重合体を使用することができる。また、これらの樹脂材料を使用する場合、本体１０１の耐熱性や強度を確保することもできる。
【００１９】
本体１０１の内部には、生体試料などの被検体が投入されるサンプルウェル１１０と、被検体から核酸を抽出するための試薬などが収容されている試薬ウェル部１２０と、被検体から核酸を抽出する工程で分離された不要な溶液を廃棄する廃液ウェル１３０と、被検体から抽出された核酸を回収する回収ウェル１４０とが一体に設けられている。
【００２０】
また、試薬カートリッジ１００は、集磁ウェル１２８を有しており、集磁ウェル１２８に磁石３００を隣接させることで、集磁ウェル１２８において拡散した磁性ビーズＢを集磁することができる
【００２１】
試薬ウェル部１２０は、複数の試薬ウェル１２１、１２２、１２３、１２４、１２５、１２６と、磁性ビーズウェル１２７と、を有している。
【００２２】
試薬ウェル部１２０において、複数の試薬ウェル１２１〜１２６の開口、磁性ビーズウェル１２７の開口は、図１に示す封止フィルム１０４によって封止されている。封止フィルム１０４により、試薬ウェル１２１〜１２６、磁性ビーズウェル１２７への気体の侵入が抑制されている。封止フィルム１０４は、分注ピペットチップ２０１により突き破ることができる材質で形成される。封止フィルム１０４は、例えば、金属製の薄膜や、プラスチックフィルム等で形成することができる。
【００２３】
試薬ウェル１２１、１２２、１２３、１２４、１２５及び１２６には、細胞膜などの生体物質を溶解する溶解液１２１Ａ、溶解液１２１Ａで溶解しきれない細胞質などの生体物質を溶解する溶解液１２２Ａ、担体に吸着された核酸以外の不要物を洗い流すための洗浄液１２３Ａ、洗浄液１２４Ａ、担体から核酸を溶出させる溶出液１２５Ａ、溶出液中の核酸濃度を調整するための希釈液１２６Ａがそれぞれ収容されている。
【００２４】
磁性ビーズウェル１２７には、核酸を吸着させるための磁性ビーズＢを含む溶液である磁性ビーズ溶液１２７Ａが収容されている。磁性ビーズＢは、磁性を帯びた粒子の表面がシリカで覆われたものである。磁性ビーズＢを構成する粒子は、例えば酸化鉄である。
【００２５】
廃液ウェル１３０は、不要となった溶液を廃棄するためのウェルである。
【００２６】
回収ウェル１４０は、溶出液１２５Ａによって核酸が溶出した核酸溶液を貯留するためのウェルである。
【００２７】
集磁ウェル１２８と回収ウェル１４０とは、試薬カートリッジ１００内で隣り合う位置関係に設けられている。この配置は、洗浄作業を集磁ウェル１２８で行った後、集磁ウェル１２８から廃液ウェル１３０への分注ピペットチップ２０１の動線を短くするためである。これにより、試薬カートリッジ１００上を通過する分注ピペットチップ２０１が試薬カートリッジ１００などを汚染する可能性を低減することができる。
【００２８】
図２は、集磁ウェル１２８の断面図である。
集磁ウェル（被検体収容部）１２８は、図２に示すように、本体１０１の上面にのみ開口を有する空洞である。集磁ウェル１２８の空洞は、底面部（高さ方向において上面の反対側の部分）が閉塞している。
【００２９】
液中の物質を吸着させる力としてファンデルワールス力がある。ファンデルワールス力は物質間の距離の−７乗に比例して引力が生じる。このように、物質間の距離が小さく、面積が大きくなると、吸着する力は急激に増加することがわかる。
形状が凸凹していない球にちかいビーズの場合、ミクロ的にはその表面は平面に近い。そのような形状のビーズが平滑性の良い容器表面に押し付けられると、そこでファンデルワールス力のような分子間力が急激に増加し、結果として容器表面に吸着してしまう。特に磁性ビーズが磁石で吸引されて強く押し付けられた場合、その影響は大きくなる。
逆に平滑性の悪い容器内の溶液に微小なビーズを混入した場合、容器表面の凹凸にビーズがトラップされてしまい、容器表面からビーズを分離できなくなってしまう。
以上のことから、（方法Ａ）ビーズと容器表面との接触面積が小さいこと、（方法Ｂ）接触しない部分のビーズ表面と容器表面の距離が大きいこと、（方法Ｃ）ビーズのサイズより容器表面の凹凸が十分に小さいこと、を実現することで液中のビーズの容器表面への吸着を抑制することが可能になる。
【００３０】
ビーズと容器表面の接触面積を小さくする方法Ａには、次のような方法が考えられる。
（方法Ａ１）容器表面またはビーズ表面に接触面積を小さくするように細かな微細な凹凸をつける。
（方法Ａ２）容器表面とビーズの両方またはいずれかかの剛性を上げる。
（方法Ａ３）容器表面とビーズに斥力が働くようにする。
方法Ａ２または方法Ａ３を実現するためには素材を選択・変更する必要があり、コストが高額になる場合がある。また、表面状態は抗体の固定などに影響を及ぼす可能性があるため、バイオ面での効果を抑制してしまう恐れがある。そのため、産業的には方法Ａ１が望ましい。
【００３１】
図３は、（ａ）平滑面とビーズとの吸着力（ファンデルワールス力）、（ｂ）重力(比重２０００ｋｇ／ｍ３)、および（ｃ）水流によるビーズの抵抗力と、ビーズ粒径との関係を示したものである。図４に示すグラフからわかるように、ビーズの粒径が１ｍｍ以下になると重力に逆らってビーズは平滑面に吸着し、ビーズの粒径が０．１ｍｍ以下になると水流によっても吸着されたビーズを平滑面から剥がすことが困難になることがわかる。
使用するビーズの粒径は１０ｎｍ以上の場合が多いため、図４に示すように、ビーズと平滑面の吸着力（ファンデルワールス力）を１／１００にすれば、ビーズは攪拌などで水流を起こすことで吸着を抑制できることがわかる。
【００３２】
ファンデルワールス力を１／１００に低減するためには、ビーズと容器表面との接触面積を、平滑面における接触面積と比較して１／１００以下とすればよい（方法Ａ１）。さらに、接触しない部分のビーズ表面と容器表面の距離を大きくし（方法Ｂ）、ビーズと容器表面とが接触していない部分に、ファンデルワールス力の効果が発生しないようにする必要がある。
【００３３】
図４は、ビーズと容器表面との距離と、ファンデルワールス力と、の関係を示すグラフである。ビーズと容器表面とが接触していない部分に対するファンデルワールス力の効果を十分に減らすためには、図４に示すように、ビーズと容器表面とが接触していない部分における両者の距離が１０ｎｍ以上であれば良く、１００ｎｍ以上であることが望ましい。例えば、ビーズや容器表面の凹凸の深さを１０ｎｍ以上、もしくは、１００ｎｍ以上することにより、ビーズは容器表面に対して点または線で接触することになり、ビーズと容器表面とが接触していない部分における両者の距離を大きくすることができる（方法Ｂ）。
【００３４】
すなわち、ファンデルワールス力を１／１００に低減するためには、ビーズと容器表面との接触面積を、平滑面における接触面積と比較して１／１００以下とし、さらにビーズと容器表面とが接触していない部分における両者の距離が１０ｎｍ以上とすればよい。
【００３５】
図５は、集磁ウェル１２８の内壁１２８ｓの拡大断面図である。
ビーズと容器表面との接触面積は、ビーズのサイズ、両者の硬さや接触した際の力の程度で変化する。発明者らの実験における観察において、図５に示すように、ＪＩＳが規定する曲線要素の平均長さからなる粗さＲＳｍが平均ビーズ径ｄの１／５０以上であれば、ビーズが容器表面へ吸着することを抑制する効果が大きいことを確認した。表面粗さ（ＲＳｍ）は１／２０以上であることがより望ましい。
【００３６】
図６は、平滑面に接触したポリスチレンビーズの模式図である。
例えば、ポリスチレンビーズが平滑面に接触した場合、図６に示すように、その接触面積は弾性の影響で、ビーズ径の５〜２０％程度の長さの円周部が接触する。その円周部の範囲内でビーズに接触する面積を少なくするためには、接触面に対して水平方向における表面の凹凸がビーズ径と同程度以上であれば良い。
【００３７】
図７は、顕微鏡で観察した内壁１２８ｓに接触した磁性ビーズＢの模式図である。
接触面積を１／１００以下に低減することで十分であることを考慮すると、図７に示すような顕微鏡の観察などの結果から、表面粗さはビーズ径の１／５０以上であれば十分であった。
【００３８】
以上のことから、表面粗さはビーズ径の１／５０以上であればよく、表面粗さやビーズのばらつきを考慮すると、 表面粗さはビーズ径の１／２０以上であることが望ましい。
【００３９】
容器表面の凹凸がビーズのサイズより大きくなってしまうと、凹凸にビーズがはまり込んでしまうことによって接触面積が拡大するだけでなく、構造的にビーズが容器表面にトラップされてしまう。そのため、凹凸のピッチは、ビーズのサイズより小さいことが望ましい（方法Ｃ）。粗面は一般に深さ方向の表面粗さと平面方向の凹凸のピッチには相関があり、ビーズの平均粒径の２／３以下の表面粗さ（ＲＳｍ）であれば、凹凸によるビーズのはまり込みを抑制することができ、１／２以下の表面粗さ（ＲＳｍ）であることが望ましい。
【００４０】
すなわち、集磁ウェル１２８の内壁１２８ｓは、表面粗さ（ＲＳｍ）が、磁性ビーズＢの平均ビーズ径ｄに対して、１／５０倍〜２／３倍であり、１／２０倍〜１／２倍であることがより望ましい。曲線要素の平均長さからなる粗さＲＳｍが上記の範囲である内壁１２８ｓには、磁性ビーズＢが内壁１２８ｓの凹凸に入り込みにくく、吸着しにくい。
【００４１】
容器表面に凹凸をつける方法として、容器を成型加工する際の型に予め凹凸を形成し、凹凸を転写する方法、容器を成型したのちに、ブラスト加工のような物理的に力を加えて表面に凹凸を転写する方法、化学的に容器表面を溶かすことで表面に凹凸をつける方法などがある。
なお、容器表面の凹凸構造は、粗面のようなランダムな構造でもよく、格子のような規則的な構造であってもよい。また、容器表面の凹凸構造は、点で支えるような構造であっても、線状の構造であっても良い。
【００４２】
一般に用いられる表面粗さの測定器は、Ｒａなどの深さ方向の表面粗さを測定するものであり、また水平方向の粗さはばらつきが多く、さらに、水平方向の粗さと深さ方向の粗さには、一般な粗面において相関があることから、曲線要素の平均長さの粗さ（ＲＳｍ）を深さ方向の表面粗さである算術的表面荒粗さ（Ｒａ）に置き換えて表面粗さをコントロールしてもよい。
なお、上述のように、ビーズや容器表面の凹凸の深さが１０ｎｍ以下であった場合には、凹凸によるファンデルワールス力の低減の効果が少なくなるため、Ｒａは１０ｎｍ以上である必要がある。
【００４３】
次に、以上に説明した構成の試薬カートリッジ１００の作用について説明する。以下では、分注ピペットチップ２０１を運搬する分注運搬機能を有する核酸抽出装置に、試薬カートリッジ１００を装着し、核酸を抽出する作業を例に挙げて試薬カートリッジ１００の作用を説明する。図８および図９は、核酸が抽出する過程における集磁ウェル１２８を示す図である。
【００４４】
まず、試薬カートリッジ１００のサンプルウェル１１０に、例えば被検体である生体試料をユーザーの手作業によって注入する。生体試料が投入された試薬カートリッジ１００は、核酸抽出装置に装着される。
【００４５】
核酸抽出装置の分注搬送機構によって分注ピペットチップ２０１が搬送される。サンプルウェル１１０から生体試料が一定量吸引され、試薬ウェル１２１中に吐出される。次に、試薬ウェル１２１に貯留されている溶解液１２１Ａと生体試料が混合され、生体試料中の細胞が溶解した細胞溶解液が得られる。
【００４６】
次に、細胞溶解液（図示しない）が試薬ウェル１２１から分注ピペットチップ２０１によって吸引され、集磁ウェル１２８へと分注される。
【００４７】
次に、磁性ビーズウェル１２７から磁性ビーズＢを含む磁性ビーズ溶液１２７Ａを分注ピペットチップ２０１で吸引し、集磁ウェル１２８に分注する。これにより、図８に示すように、磁性ビーズＢと細胞溶解液とが混合し、核酸は磁性ビーズＢに吸着する。
【００４８】
核酸抽出装置は、図９に示すように、集磁ウェル１２８の外周部に磁石３００を近づける。集磁ウェル１２８の内部の磁性ビーズＢは、集磁ウェル１２８の内壁１２８ｓに、磁石の磁力により集磁される。
【００４９】
核酸抽出装置は、集磁ウェル１２８に投入された生体試料中の細胞や磁性ビーズＢを含む溶液を、分注ピペットチップ２０１により吸い取り、その溶液を廃液ウェル１３０に廃棄する。内壁１２８ｓに集磁された磁性ビーズＢは集磁ウェル１２８に残留している。
【００５０】
次に、核酸抽出装置は、溶解液１２２Ａを集磁ウェル１２８に分注し、集磁ウェル１２８の外周部に配置した磁石３００を、集磁ウェル１２８から遠ざける。
【００５１】
集磁ウェル１２８の内壁１２８ｓは、磁性ビーズＢと分子間力（ファンデルワールス力）が弱くなるように、表面粗さが調整されているため、内壁１２８ｓに吸着していた磁性ビーズＢは、混濁しやすい。
【００５２】
磁性ビーズＢが混濁した後、洗浄工程をへて、磁性ビーズＢは回収ウェル１４０に移され、さらに溶出液１２５Ａを回収ウェル１４０に分注することにより、磁性ビーズＢに吸着した核酸が回収される。
【００５３】
（一実施形態の効果）
本実施形態の試薬カートリッジ１００によれば、収容部の内壁に磁性粒子が吸着しにくく、効率よく磁性粒子に吸着した核酸を回収することができる。
【００５４】
以上、本発明の一実施形態について図面を参照して詳述したが、具体的な構成はこの実施形態に限られるものではなく、本発明の要旨を逸脱しない範囲の設計変更等も含まれる。また、上述の一実施形態および以下で示す変形例において示した構成要素は適宜に組み合わせて構成することが可能である。
【００５５】
（変形例１）
なお、上記実施形態ではビーズを収容部の内壁に集める手段として磁力によって磁性ビーズＢを集めた例を示したが、ビーズを集める手段は上記実施形態に限られるのものではない。例えば、遠心力、静電気力、万有引力などの様々な引力、静電気力、磁力などによる斥力、ピンセットや光圧力による光ピンセットによるビーズの移動など、細菌の光走性などの生物的動きを利用するなど、ビーズに何らかの力を加えて収容部内壁近傍にビーズを集める手段を適用することができる。
【００５６】
（変形例２）
さらに、上記実施形態ではビーズは球形の例を示したが、楕円形、多角形、繊維状など様々な粒子に適応可能である。この場合、使用する粒子径は、粒子の最も短い径を粒子径として採用すればよい。
【産業上の利用可能性】
【００５７】
本発明は、粒子を収容部に収容する試薬カートリッジに適用することができる。
【符号の説明】
【００５８】
１００  試薬カートリッジ
１０１  本体
１０２  爪部
１０４  封止フィルム
１１０  サンプルウェル
１２０  試薬ウェル部
１２１  試薬ウェル
１２２  試薬ウェル
１２３  試薬ウェル
１２４  試薬ウェル
１２５  試薬ウェル
１２６  試薬ウェル
１２７  磁性ビーズウェル
１２８  集磁ウェル（被検体収容部）
１２８ｓ  内壁
１３０  廃液ウェル
２０１  分注ピペットチップ
Ｂ      磁性ビーズ
【図１】
2019162586.tif 000003
【図２】
2019162586.tif 000004
【図３】
2019162586.tif 000005
【図４】
2019162586.tif 000006
【図５】
2019162586.tif 000007
【図６】
2019162586.tif 000008
【図７】
2019162586.tif 000009
【図８】
2019162586.tif 000010
【図９】
2019162586.tif 000011